(57)【要約】【課題】投影時に操作しやすいプロジェクタ付き電子カメラを提供する。【解決手段】プロジェクタ付き電子カメラ１０は、投影モードに切替えられると、レリーズボタン１４を、投射像のオートフォーカス調節を開始させたり、投影像をフォーカス調節用のチャート像へ切替えたり、投射像を回転させたり、投影動作を一時停止させたりするための操作部材として扱うように機能変更する。さらに、ズームスイッチ１６を投射像のズーム調節のための操作部材として扱うように機能変更する。レリーズボタン１４およびズームスイッチ１６は、プロジェクタ付き電子カメラ１０の筐体の上面に設けられている。【選択図】図１
2010231236.tif 000002
【特許請求の範囲】
【請求項１】
画像データによる再生画像を投影する投影手段と、
前記投影手段を搭載する略直方体形状の筐体と、
前記筐体の上面に配設され、前記投影手段による投影像のフォーカス調節をするための操作入力を受け付ける操作部材と、を備え、
前記筐体の上面は、前記筐体を構成する面の中で最大面積を有する面と異なる面であることを特徴とする電子機器。
【請求項２】
画像データによる再生画像を投影する投影手段と、
前記投影手段を搭載する略直方体形状の筐体と、
前記筐体の上面に配設され、前記投影手段による投影像のキーストン補正量調節をするための操作入力を受け付ける操作部材と、を備え、
前記筐体の上面は、前記筐体を構成する面の中で最大面積を有する面と異なる面であることを特徴とする電子機器。
【請求項３】
請求項１または請求項２に記載の電子機器において、
被写体像を撮影し、画像データを生成する撮影手段を備え
前記投影手段は、前記撮影手段により生成された画像データによる再生画像を投影することを特徴とする電子機器。
【発明の詳細な説明】
【技術分野】
【０００１】
本発明は、電子機器に関する。
【背景技術】
【０００２】
プロジェクタを搭載した電子カメラが知られている（特許文献１）。特許文献１によれば、プロジェクションモードスイッチやビデオ再生ボタンの操作によってプロジェクタによる投影が開始される。
【先行技術文献】
【特許文献】
【０００３】
【特許文献１】特開平８−１４６５１２号公報
【発明の概要】
【発明が解決しようとする課題】
【０００４】
引用文献１には、投影開始後のフォーカス調節などの投影時の操作について開示されていない。
【課題を解決するための手段】
【０００５】
（１）請求項１に記載の発明は、画像データによる再生画像を投影する投影手段と、投影手段を搭載する略直方体形状の筐体と、筐体の上面に配設され、投影手段による投影像のフォーカス調節をするための操作入力を受け付ける操作部材と、を備える電子機器に適用され、筐体の上面は、筐体を構成する面の中で最大面積を有する面と異なる面であることを特徴とする。
（２）請求項２に記載の発明は、画像データによる再生画像を投影する投影手段と、投影手段を搭載する略直方体形状の筐体と、筐体の上面に配設され、投影手段による投影像のキーストン補正量調節をするための操作入力を受け付ける操作部材と、を備える電子機器に適用され、筐体の上面は、筐体を構成する面の中で最大面積を有する面と異なる面であることを特徴とする。
【発明の効果】
【０００６】
本発明によれば、投影時に操作しやすい電子機器を提供できる。
【図面の簡単な説明】
【０００７】
【図１】本発明の一実施形態によるプロジェクタ付き電子カメラを前方から見た斜視図である。
【図２】図１のプロジェクタ付き電子カメラを後方から見た斜視図である。
【図３】プロジェクタ付き電子カメラの構成を説明するブロック図である。
【図４】ＣＰＵが投影モード時に実行するプログラムによる処理の流れを説明するフローチャートである。
【図５】投影調節処理の詳細について説明するフローチャートである。
【発明を実施するための形態】
【０００８】
以下、図面を参照して本発明を実施するための形態について説明する。図１は、本発明の一実施形態によるプロジェクタ付き電子カメラを前方から見た斜視図である。図１において、プロジェクタ付き電子カメラ１０の正面には、撮影レンズ１１と、照明光窓１２と、プロジェクタ投射窓１３とが設けられている。プロジェクタ付き電子カメラ１０の上面には、レリーズボタン１４と、ズームスイッチ１６と、モード切替ダイヤル１５と、メインスイッチ２２とが設けられている。
【０００９】
図２は、図１のプロジェクタ付き電子カメラを後方から見た斜視図である。図２において、プロジェクタ付き電子カメラ１０の背面には、液晶表示器１７と、電子ビューファインダー１８と、操作部材１９と、スピーカ孔２０とが設けられている。
【００１０】
プロジェクタ付き電子カメラ１０には、後述するプロジェクタ装置（プロジェクタ部）が搭載されており、たとえば、机上に載置されたプロジェクタ付き電子カメラ１０の正面側に配設されるスクリーンなどに向けて、画像などの情報をプロジェクタ投射窓１３から投影する。プロジェクタ付き電子カメラ１０は、スピーカ孔２０の裏側にスピーカ２１を内蔵しており、音声などの情報を電子カメラ１０の後方へ向けて再生する。
【００１１】
モード切替えダイヤル１５は、撮影モードや投影モードなどのプロジェクタ付き電子カメラ１０の動作モードを切替えるためのモード切替え操作部材である。撮影モードは、被写体像を撮影し、撮影した画像データをメモリカードなどで構成される記録媒体に撮影画像ファイルとして保存する動作モードである。静止画撮影の場合は静止画像ファイルが生成され、動画撮影の場合には動画像ファイルが生成される。撮影動作モードにおいて、プロジェクタ付き電子カメラ１０は、主としてハンドホールドで用いられる。撮影開始指示は、レリーズボタン１４の押下操作に応じて出力される操作信号が対応する。プロジェクタ付き電子カメラ１０には、後述する照明装置が搭載されており、キセノン管などの発光体から発せられた光が照明光窓１２からプロジェクタ付き電子カメラ１０の正面に向けて射出される。撮影モードでは、スピーカ孔２０の裏側にスピーカ２１とともに内蔵されるマイクにより集音した音声のデータを、記録媒体に保存することも可能に構成されている。
【００１２】
投影モードは、撮影済みの画像データを記録媒体（たとえば、後述するメモリカード２００や不図示の内部メモリ）から読出すなどして、画像データによる再生画像をプロジェクタ部によってプロジェクタ投射窓１３から投影する動作モードである。上述したスピーカ２１からの音声再生は、投影モードにおいて作動する。なお、投影モードでは、記録媒体以外から読出された画像データや、プロジェクタ付き電子カメラ１０の外部から供給される画像データによる再生画像を投影することも可能に構成されている。
【００１３】
プロジェクタ付き電子カメラ１０には、プロジェクタ投射窓１３から投影された光が撮影レンズ１１のレンズ鏡筒Ｐでけられることがないように、レンズ鏡筒Ｐをカメラ筐体内に沈胴させる沈胴機構が設けられている。
【００１４】
図３は、以上説明したプロジェクタ付き電子カメラ１０の構成を説明するブロック図である。図３において、プロジェクタ付き電子カメラ１０はプロジェクタ部１２０と、撮像部２２０と、ＣＰＵ１０１と、メモリ１０２と、操作部材１０３と、液晶表示器１０４と、スピーカ１０５と、マイク１０６と、外部インターフェイス(I/F)１０７と、照明装置１０８とを有する。不図示のカードスロットには、メモリカード２００と、無線通信ユニット２１０とが実装されている。両カード（ユニット）は着脱可能である。
【００１５】
ＣＰＵ１０１は、制御プログラムに基づいて、プロジェクタ付き電子カメラ１０を構成する各部から入力される信号を用いて所定の演算を行うなどして、プロジェクタ付き電子カメラ１０の各部に対する制御信号を送出することにより、撮影動作および投影動作の制御を行う。なお、制御プログラムはＣＰＵ１０１内の不図示の不揮発性メモリに格納されている。
【００１６】
メモリ１０２はＣＰＵ１０１の作業用メモリとして使用される。操作部材１０３は、図１におけるメインスイッチ２２、レリーズボタン１４、ズームスイッチ１６、モード切替えダイヤル１５、および図２における操作部材１９に対応し、レリーズボタン１４の押下操作に連動してオンする不図示の半押しスイッチや全押しスイッチを含む。半押しスイッチは、レリーズボタン１４の押下げ量が半押し操作量に達するとオンし、全押しスイッチは、レリーズボタン１４の押下げ量が半押し操作量より大きい全押し操作量に達するとオンする。操作部材１０３は、操作内容に対応する操作信号をＣＰＵ１０１へ送出する。
【００１７】
メモリカード２００はフラッシュメモリなどの不揮発性メモリによって構成され、ＣＰＵ１０１の指令により撮像部２２０で撮影された画像データなどのデータの書き込み、保存および読み出しが可能である。無線通信ユニット２１０は外部機器（不図示）から送信されるデータを受信して復調し、復調後の画像データおよび音声データをＣＰＵ１０１へ送出する。
【００１８】
照明装置１０８は、ＣＰＵ１０１からの発光指示に応じて発光体を発光させ、被写体を照明する照明光を照明光窓１２からプロジェクタ付き電子カメラ１０の正面に向けて射出する。
【００１９】
液晶表示器１０４（図２において１７）は、ＣＰＵ１０１の指令により画像やテキストなどの情報を表示する。テキスト情報は、プロジェクタ付き電子カメラ１０の動作状態、操作メニューなどである。スピーカ１０５（図２において２１）は、ＣＰＵ１０１から出力される音声データによる音声を再生する。
【００２０】
マイク１０６は、集音した音声を電気信号に変換してＣＰＵ１０１へ送出する。音声信号のデータは、撮影モード時にメモリカード２００に記録される。
【００２１】
外部インターフェイス(I/F)１０７は、ビデオカメラなどの外部機器から送信されるビデオ信号による再生画像を液晶表示器１０４に表示させたりプロジェクタ部１２０に投影させたりするために、ビデオ信号を画像データに変換し、変換後の画像データをＣＰＵ１０１へ送出する。また、外部インターフェイス(I/F)１０７は、外部機器から送信される音声信号による音声をスピーカ１０５で再生させるための音声データに変換し、変換後の音声データをＣＰＵ１０１へ送出する。
【００２２】
（撮像部）
撮像部２２０は、撮影レンズ２２１（図１において１１）と、イメージセンサ２２２と、レンズ駆動回路２２３と、撮影制御回路２２４と、鏡筒沈胴機構２２５とを含む。イメージセンサ２２２としては、ＣＣＤやＣＭＯＳ撮像素子などが用いられる。撮影制御回路２２４は、ＣＰＵ１０１からの指令によりイメージセンサ２２２およびレンズ駆動回路２２３を駆動制御するとともに、イメージセンサ２２２から出力される撮像信号（蓄積電荷信号）に対して所定の画像処理を行う。画像処理は、ホワイトバランス処理やガンマ処理などである。
【００２３】
撮影レンズ２２１は、イメージセンサ２２２の撮像面上に被写体像を結像させる。撮影制御回路２２４は、撮影開始指示に応じてイメージセンサ２２２に撮像を開始させ、撮像終了後にイメージセンサ２２２から蓄積電荷信号を読出し、上記画像処理を施した上で画像データとしてＣＰＵ１０１へ送出する。
【００２４】
レンズ駆動回路２２３は、撮影制御回路２２４から出力されるフォーカス調節信号に基づいて、撮影レンズ２２１を構成するフォーカスレンズ（不図示）を光軸方向に進退駆動する。また、レンズ駆動回路２２３は、撮影制御回路２２４から出力されるズーム調節信号に基づいて、撮影レンズ２２１を構成するズームレンズ（不図示）を光軸方向（テレ側もしくはワイド側）へ進退駆動する。フォーカス調節量およびズーム調節量は、ＣＰＵ１０１から撮影制御回路２２４へ指示される。
【００２５】
（カメラのフォーカス調節）
撮像部２２０は、撮影レンズ２２１を構成するフォーカスレンズを光軸方向にシフトすることにより、撮影レンズ２２１のフォーカス調節を行う。オートフォーカス調節を行う場合のＣＰＵ１０１は、イメージセンサ２２２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路２２４へ送る。焦点評価値を最大にするフォーカスレンズの位置は、イメージセンサ２２２によって撮像される被写体像のエッジのボケをなくし、画像のコントラストを最大にする合焦位置である。
【００２６】
（カメラのズーム調節）
撮像部２２０は、投影レンズ１２１を構成するズームレンズを光軸方向にシフトすることにより、撮影レンズ２２１の光学ズーム調節を行う。ＣＰＵ１０１は、ズームスイッチ１６からの操作信号に応じてズーム調節信号を撮影制御回路２２４へ送る。ＣＰＵ１０１は、ズームスイッチ１６から右回し操作信号が入力された場合にズームアップするようにズーム調節信号を送り、ズームスイッチ１６から左回し操作信号が入力された場合にはズームダウンするようにズーム調節信号を送る。ズームスイッチ１６は、異なる２つの操作信号を択一的に出力するように構成される。
【００２７】
また、撮影制御回路２２４は、ＣＰＵ１０１からの指令に応じて鏡筒沈胴機構２２５へ指令を送り、撮影レンズ２２１の鏡筒Ｐ（図１）をプロジェクタ付き電子カメラ１０の筐体内に沈胴させたり、筐体内に沈胴されている鏡筒Ｐを撮影時の状態（図１）まで繰出させたりする。
【００２８】
（プロジェクタ部）
プロジェクタ部１２０は、投影レンズ１２１と、液晶パネル１２２と、ＬＥＤ光源１２３と、投射制御回路１２４と、レンズ駆動回路１２５とを含む。投射制御回路１２４は、ＣＰＵ１０１から出力される投影指令に応じてＬＥＤ光源１２３に駆動電流を供給する。ＬＥＤ光源１２３は、供給された電流に応じた明るさで液晶パネル１２２を照明する。
【００２９】
投射制御回路１２４はさらに、ＣＰＵ１０１から送出される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を生成する。
【００３０】
投影レンズ１２１は、液晶パネル１２２から射出される光像をスクリーンなどへ向けて投影する。レンズ駆動回路１２５は、投射制御回路１２４から出力されるオフセット調節信号に基づいて、投影レンズ１２１を光軸に対して直交する方向へ進退駆動する。また、レンズ駆動回路１２５は、投射制御回路１２４から出力されるフォーカス調節信号に基づいて、投影レンズ１２１を構成するフォーカスレンズ（不図示）を光軸方向へ進退駆動する。レンズ駆動回路１２５はさらに、投射制御回路１２４から出力されるズーム調節信号に基づいて、投影レンズ１２１を構成するズームレンズ（不図示）を光軸方向へ進退駆動する。オフセット調節量、フォーカス調節量およびズーム調節量は、ＣＰＵ１０１から投射制御回路１２４へ指示される。
【００３１】
（投射像のオフセット）
投影レンズ１２１が光軸と直交する向きにシフトされることにより、プロジェクタ部１２０から射出される光束の射出方向が変化し、投射像がオフセットされる。投射像のオフセットは、投影レンズ１２１をシフトさせて行う他にも、液晶パネル１２２、ＬＥＤ光源１２３を光軸に対して垂直方向にシフトさせて行う構成としてもよい。すなわち、投影レンズ１２１と液晶パネル１２２の相対的位置関係を光軸に垂直な方向に変化させることで、投射像のオフセットを実現できる。
【００３２】
（投射像のキーストン補正）
投影レンズ１２１、液晶パネル１２２、ＬＥＤ光源１２３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を方形状に補正するための初期補正値が記憶されている。ＣＰＵ１０１は、オフセット調節量に対応する初期補正値を読み出し、読み出した初期補正値をもとに投影する像のデータに対するキーストン補正処理をメモリ１０２上で施し、キーストン補正処理後の画像データを投射制御回路１２４へ送出する。
【００３３】
（投射像のフォーカス調節）
投影レンズ１２１を構成するフォーカスレンズを光軸方向にシフトすることにより、プロジェクタ部１２０は投射像のフォーカス調節を行う。マニュアルフォーカス調節を行う場合のＣＰＵ１０１は、操作部材１０３からの操作信号に応じてフォーカス調節信号を投射制御回路１２４へ送る。
【００３４】
オートフォーカス調節を行う場合のＣＰＵ１０１は、撮像部２２０で撮像された画像信号のうち、フォーカス検出エリア（たとえば撮影画面中央）に対応する画像信号についての高周波数成分の積算値（いわゆる焦点評価値）を最大にするように、フォーカス調節信号を投射制御回路１２４へ送る。焦点評価値を最大にするフォーカスレンズの位置は、撮像部２２０の被写体である投影像のエッジのボケをなくし、投影像のコントラストを最大にするフォーカス調節位置である。
【００３５】
（投射像のズーム調節）
投影レンズ１２１を構成するズームレンズを光軸方向にシフトすることにより、プロジェクタ部１２０は投射像のズーム調節を行う。ＣＰＵ１０１は、操作部材１０３からの操作信号に応じてズーム調節信号を投射制御回路１２４へ送る。
【００３６】
（投影ソース：source）
プロジェクタ部１２０は、ＣＰＵ１０１の指令により下記ソース１．〜ソース５．のいずれかによるコンテンツを投影および再生する。ＣＰＵ１０１は、操作部材１０３からソース切替え操作信号が入力されるごとに、ソース１．〜ソース４．の投影画像をソース１．→２．→３．→４．→１．…の順にサイクリックに切替えるように、各画像に対応する画像データをプロジェクタ部１２０へ送出する。ただし、プロジェクタ付き電子カメラ１０にメモリカード２００が装着されていない場合にはソース１．がスキップされ、無線通信ユニット２１０が装着されていない場合にはソース２．がスキップされる。また、外部インターフェイス(I/F)１０７に外部機器が接続されていない場合にはソース４．がスキップされる。
【００３７】
また、ＣＰＵ１０１は、操作部材１０３からチャート投影への切替え操作信号が入力されると、下記ソース５．に対応する画像データをプロジェクタ部１２０へ送出する。
【００３８】
ソース１．メモリカード２００から読出したデータによる再生画像
ソース２．無線通信ユニット２１０で受信されたデータによる再生画像
ソース３．内部メモリ（ＣＰＵ１０１内の不揮発性メモリなど）に記録されている画像データによる再生画像
ソース４．外部インターフェイス(I/F)１０７から入力されたデータによる再生画像
ソース５．フォーカス調節用のチャートであり、たとえば、白地に黒線による縞模様で構成される画像
【００３９】
ＣＰＵ１０１は、上記ソース１．またはソース３．に対応する画像を投影する場合、記録日時が最も新しい（記録されている画像データの中で最後に撮影されたもの）画像データをメモリカード２００（もしくは内部メモリ）から順に読出し、読出した画像データをプロジェクタ部１２０へ送出する。
【００４０】
本発明は、上記プロジェクタ付き電子カメラ１０が投影モードに切替えられた場合の動作に特徴を有するので、投影モード起動時にＣＰＵ１０１によって行われる制御を中心に説明する。
【００４１】
図４は、プロジェクタ付き電子カメラ１０のＣＰＵ１０１が投影モードにおいて実行するプログラムによる処理の流れを説明するフローチャートである。図４による処理は、モード切替えダイヤル１５からＣＰＵ１０１へ投影モードへの切替えを指示する操作信号が入力されると起動する。
【００４２】
図４のステップＳ１において、ＣＰＵ１０１は、撮影制御回路２２４へ撮像部オフを指示するとともに、液晶表示器１０４の表示オフを指示してステップＳ２へ進む。これにより、撮像部２２０における撮像動作が停止し、液晶表示器１０４による表示が停止する。
【００４３】
ステップＳ２において、ＣＰＵ１０１は、レンズ鏡筒Ｐが沈胴状態か否かを判定する。ＣＰＵ１０１は、撮影制御回路２２４から沈胴状態を示す信号を受けるとステップＳ２を肯定判定してステップＳ４へ進み、非沈胴状態を示す信号を受けた場合にはステップＳ２を否定判定し、ステップＳ３へ進む。
【００４４】
ステップＳ３において、ＣＰＵ１０１は、撮影制御回路２２４へ沈胴指令（指示）を送出してステップＳ４へ進む。ステップＳ４において、ＣＰＵ１０１は、投射制御回路１２４へ投影開始を指示するとともに、操作部材１０３のうち、プロジェクタ付き電子カメラ１０の上面に配設されているレリーズボタン１４およびズームスイッチ１６の機能変更を行ってステップＳ５へ進む。投影開始指示により、プロジェクタ部１２０においてＬＥＤ光源１２３が点灯される。
【００４５】
上記ステップＳ４以降、後述するステップＳ１１において機能変更を解除するまで、レリーズボタン１４およびズームスイッチ１６は撮影モード時と異なる機能の操作部材として扱われる。レリーズボタン１４の場合、撮影指示のための操作部材ではなく、投射像のオートフォーカス調節を開始させたり、上記ソース５．のフォーカス調節用のチャート投影像へ切替えたり、投射像を回転させたり、投影動作を一時停止させるための操作部材として扱われる。ズームスイッチ１６の場合は、撮影レンズ２２１のズーム調節ではなく、投影レンズ（投射像）のズーム調節のための操作部材として扱われる。
【００４６】
ステップＳ５において、ＣＰＵ１０１は、記録日時が最も新しい画像データをメモリカード２００（もしくは内部メモリ）から読出し（デフォルト設定ではメモリカード２００から読出す）、読出した画像データをプロジェクタ部１２０へ送出してステップＳ６へ進む。これにより、ＣＰＵ１０１がプロジェクタ部１２０へ送出した画像データによる再生画像が投影される。なお、ＣＰＵ１０１は、投影中の画像のデータファイルに対応付けられて音声データが記憶されている場合には、当該音声データによる音声をスピーカ１０５から再生する。画像データは、静止画−動画−静止画−静止画…のように混在していてもよい。
【００４７】
ステップＳ６において、ＣＰＵ１０１は、ユーザーによる操作が行われたか否かを判定する。ＣＰＵ１０１は、操作部材１０３（図３）から操作信号が入力されるとステップＳ６を肯定判定してステップＳ７へ進み、操作部材１０３から操作信号が入力されない場合にはステップＳ６を否定判定し、ステップＳ９へ進む。
【００４８】
ステップＳ９において、ＣＰＵ１０１は、プロジェクタ部１２０へ送出する画像データが上記ソース１．またはソース３．に対応する画像（すなわち、記録画像）か否かを判定する。ＣＰＵ１０１は、プロジェクタ部１２０へ送出する画像データが記録画像である場合にステップＳ９を肯定判定してステップＳ１０へ進み、プロジェクタ部１２０へ送出する画像データが上記ソース２．またはソース４．に対応する画像（すなわち、非記録画像）である場合にはステップＳ９を否定判定し、ステップＳ６へ戻る。
【００４９】
ステップＳ１０において、ＣＰＵ１０１はタイムアップか否かを判定する。ＣＰＵ１０１は、内蔵タイマーが所定時間（たとえば、５秒）を計時するとステップＳ１０を肯定判定してステップＳ５へ戻り、所定時間に達していない場合にはステップＳ１０を否定判定し、ステップＳ６へ戻る。なお、計時は投影中の画像データを読出してから経過した時間である。
【００５０】
ステップＳ１０からステップＳ５へ戻る場合は、いわゆるスライドショー投影を行う場合である。つまり、メモリカード２００（もしくは内部メモリ）から読出された画像データによる画像が投影され、５秒間を計時するとメモリカード２００（もしくは内部メモリ）から次の画像データが読出され、投影中の画像が後から読出された画像データによる投影画像に順次更新される。なお、スライドショー投影における１画像当たりの投影時間は、上記５秒間に限らず、適宜設定変更可能に構成されている。
【００５１】
上記ステップＳ６を肯定判定して進むステップＳ７において、ＣＰＵ１０１はユーザーによる操作がモード切替え操作か否かを判定する。ＣＰＵ１０１は、入力された操作信号がモード切替えダイヤル１５からの撮影モードへ切替える操作信号である場合、ステップＳ７を肯定判定してステップＳ１１へ進む。また、ＣＰＵ１０１は、入力された操作信号がレリーズボタン１４およびズームスイッチ１６からのソース切替え操作信号（たとえば、ズームスイッチ１６の操作信号とレリーズボタン１４からの半押し操作信号が同時に入力される）である場合、ステップＳ７を否定判定してステップＳ８へ進む。さらにまた、ＣＰＵ１０１は、入力された操作信号がレリーズボタン１４もしくはズームスイッチ１６からの操作信号である場合、ステップＳ７を否定判定してステップ１２へ進む。ステップＳ８へ進む場合はソース切替え指示されたとみなし、ステップＳ１２へ進む場合は投影調整指示されたとみなす。
【００５２】
ステップＳ１１において、ＣＰＵ１０１は、投射制御回路１２４へ投影終了を指示するとともに、レリーズボタン１４およびズームスイッチ１６の機能変更を解除して図４による処理を終了する。これにより、プロジェクタ部１２０においてＬＥＤ光源１２３が消灯される。なお、投影コンテンツが上記ソース１．の場合、メモリ１０２上にメモリカード２００から読み込んだデータを保存しない。投影コンテンツが上記２の場合は、メモリ１０２上に無線通信ユニット２１０で受信されたデータを保存しない。また、投影コンテンツが上記３の場合は、メモリ１０２上に外部インターフェイス１０７によって受信されたデータを保存しない。
【００５３】
ステップＳ８において、ＣＰＵ１０１は、ズームスイッチ１６の操作信号とレリーズボタン１４からの半押し操作信号が同時に入力されるごとに、プロジェクタ部１２０へ送出する画像データを、上記ソース１．→２．→３．→４．→１．…の順に１つ切替えてステップＳ９へ進む。
【００５４】
ステップＳ１２において、ＣＰＵ１０１は投影調節処理を行ってステップＳ９へ進む。投影調節処理の詳細について、図５に示すフローチャートを参照して説明する。図５のステップＳ５１において、ＣＰＵ１０１は、ユーザーによって操作された操作部材がズームスイッチか否かを判定する。ＣＰＵ１０１は、入力操作信号がズームスイッチ１６からの操作信号の場合にステップＳ５１を肯定判定してステップＳ５２へ進み、ズームスイッチ１６からの操作信号でない場合にはステップＳ５１を否定判定し、ステップＳ５３へ進む。
【００５５】
ステップＳ５２において、ＣＰＵ１０１は、光学ズーム処理を行ってステップＳ５１へ戻る。ＣＰＵ１０１は、光学ズーム処理として、たとえば、ズームスイッチ１６が右回し操作された場合に投影像をズームアップするように投射制御回路１２４へズーム調節信号を送り、ズームスイッチ１６が左回し操作された場合には、投影像をズームダウンするように投射制御回路１２４へズーム調節信号を送る。
【００５６】
ステップＳ５３において、ＣＰＵ１０１は、ユーザーによってレリーズボタン１４が半押し操作されたされた（すなわち、半押しスイッチから操作信号が出力された）か否かを判定する。ＣＰＵ１０１は、入力された操作信号が半押し操作信号である場合にステップＳ５３を肯定判定してステップＳ５４へ進み、半押し操作信号でない場合にはステップＳ５３を否定判定し、ステップＳ５６へ進む。
【００５７】
ステップＳ５４において、ＣＰＵ１０１は、長押しされたか否かを判定する。ＣＰＵ１０１は、半押し操作信号が所定時間（たとえば、３秒）以内に解除された場合にステップＳ５４を否定判定してステップＳ５５へ進み、所定時間以上継続された場合にはステップＳ５４を肯定判定してステップＳ５９へ進む。
【００５８】
レリーズボタン１４の長押しでない半押し操作による半押し操作信号は、オートフォーカス（ＡＦ）指示に対応する。ステップＳ５５において、ＣＰＵ１０１は、ＡＦ処理を開始させてステップＳ５１へ戻る。具体的には、撮影制御回路２２４へ撮像部オンを指示するとともに、撮像部２２０で撮像される画像信号から得られる焦点評価値を最大にするように、フォーカス調節信号を投射制御回路１２４へ送る。なお、ＣＰＵ１０１は、ＡＦ処理を終了すると撮影制御回路２２４へ撮像部オフを指示する。
【００５９】
レリーズボタン１４の半押し長押し操作による半押し操作信号は、チャート投影オン／オフの切替え指示に対応する。ステップＳ５９において、ＣＰＵ１０１は、上記ソース５．のフォーカス調節用のチャートを投影中か否かを判定する。ＣＰＵ１０１は、チャート画像を投影している（フォーカス調節用のチャート画像データをプロジェクタ部１２０へ送出済み）の場合にステップＳ５９を肯定判定してステップＳ６０へ進み、上記ソース１．〜ソース４．のいずれかの再生像を投影中の場合にはステップＳ５９を否定判定してステップＳ６１へ進む。
【００６０】
ステップＳ６０において、ＣＰＵ１０１はチャート投影をオフさせる。具体的には、チャート画像に代えてチャート投影前の直近に投影していた上記ソース１．〜ソース４．のいずれかの再生像を投影するように、直近に投影していた画像データをプロジェクタ部１２０へ送出してステップＳ５１へ戻る。
【００６１】
ステップＳ６１において、ＣＰＵ１０１はチャート投影をオンさせる。具体的には、上記ソース１．〜ソース４．のいずれかの再生画像に代えて上記ソース５．のチャート画像を投影するように、チャート画像データをプロジェクタ部１２０へ送出してステップＳ５１へ戻る。
【００６２】
ステップＳ５６において、ＣＰＵ１０１は、ユーザーによってレリーズボタン１４が全押し操作されたされた（すなわち、全押しスイッチから操作信号が出力された）か否かを判定する。ＣＰＵ１０１は、入力された操作信号が全押し操作信号である場合にステップＳ５６を肯定判定してステップＳ５７へ進み、全押し操作信号でない場合にはステップＳ５６を否定判定し、図５の処理を終了して図４のステップＳ９へ進む。
【００６３】
ステップＳ５７において、ＣＰＵ１０１は、長押しされたか否かを判定する。ＣＰＵ１０１は、全押し操作信号が所定時間（たとえば、３秒）以内に解除された場合にステップＳ５７を否定判定してステップＳ５８へ進み、所定時間以上継続された場合にはステップＳ５７を肯定判定してステップＳ６２へ進む。
【００６４】
レリーズボタン１４の長押しでない全押し操作による全押し操作信号は、投影像の回転指示に対応する。ステップＳ５８において、ＣＰＵ１０１は、以下のように投影像を回転させてステップＳ５１へ戻る。
【００６５】
（投影画像の回転）
ＣＰＵ１０１は、メモリ１０２上で画像データを時計回転回りに９０度回転させた上で、回転処理後の画像データをプロジェクタ部１２０へ送出する。この場合のＣＰＵ１０１は、回転処理後の画像が投影範囲に収まるように、投影画像のアスペクト比に応じたサイズ変換処理も合わせて行う。たとえば、画像データのアスペクト比が横４：縦３の比率であって、液晶パネル１２２のアスペクト比も横４：縦３の比率で表される場合には、回転処理後の画像について、縦方向、横方向それぞれに３／４の画素数で表すようにデータサイズを縮小処理する。この結果、画像データの長辺と液晶パネル１２２の短辺とを対応させるように回転処理および縮小処理が施された画像が投影される。
【００６６】
ＣＰＵ１０１は、投影像の回転指示が入力されるごとに上記サイズ変換処理および回転処理を繰り返すように構成されている。サイズ変換処理は、上記アスペクト比に応じて縦横それぞれ３／４の画素数に縮小する縮小処理（画像データの長辺を液晶パネル１２２の短辺に対応させる）と、縦横それぞれ４／３の画素数に拡大する拡大処理（画像データの長辺を液晶パネル１２２の長辺に対応させる）とが交互に行われる。この結果、たとえば、投影像の回転指示が４回続けて行われる場合には、投影画像が時計回転回りに１周するとともに、投影画像のサイズは投影像の回転指示が入力される前と同一のサイズに戻る。なお、投影画像の回転方向は、反時計回転回りに行うように構成してもよい。
【００６７】
レリーズボタン１４の全押し長押し操作による全押し操作信号は、投影動作の一時停止／解除の切替え指示に対応する。ステップＳ６２において、ＣＰＵ１０１は、投影動作を一時停止中か否かを判定する。ＣＰＵ１０１は、投影動作を一時停止している場合にステップＳ６２を肯定判定してステップＳ６３へ進み、投影中の場合にはステップＳ６２を否定判定してステップＳ６４へ進む。
【００６８】
ステップＳ６３において、ＣＰＵ１０１は一時停止を解除させる。具体的には、ＣＰＵ１０１が投射制御回路１２４へ指令を送り、ＬＥＤ光源１２３および液晶パネル１２２への通電を再開させてステップＳ５１へ戻る。これにより、プロジェクタ部１２０からの光像の投影が再開される。
【００６９】
一時停止中において、投影コンテンツが上記ソース１．の場合はメモリ１０２上にメモリカード２００の情報、およびメモリカード２００から読み込んだデータが保存される。同様に、投影コンテンツが上記２の場合は無線通信ユニット２１０と外部機器との通信が継続され、メモリ１０２上に無線通信ユニット２１０によって受信されたデータが保存される。また、投影コンテンツが上記３の場合は外部インターフェイス１０７と外部機器との通信が継続され、メモリ１０２上に外部インターフェイス１０７によって受信されたデータが保存される。このように一時停止中にメモリ１０２上のデータを保存しておくことにより、一時停止の解除時にメモリ１０２に保存されているデータを用いてただちに投影が再開される。
【００７０】
ステップＳ６４において、ＣＰＵ１０１は投影動作を一時停止させる。具体的には、ＣＰＵ１０１が投射制御回路１２４へ指令を送り、ＬＥＤ光源１２３および液晶パネル１２２への通電を停止させてステップＳ５１へ戻る。これにより、プロジェクタ部１２０からの光像が投影されなくなる。
【００７１】
以上説明した実施形態によれば、次の作用効果が得られる。
（１）プロジェクタ付き電子カメラ１０は、投影モードに切替えられると、メモリカード２００に記録されている画像データによる再生画像を自動的にスライドショー投影する（ステップＳ４〜Ｓ６、ステップＳ９〜Ｓ１０）ようにしたので、投影モードに切替え後、投影ランプのオン操作や投影画像の選択操作が不要である。この結果、プロジェクタ付き電子カメラ１０の投影モードにおける使い勝手がよくなる。
【００７２】
（２）プロジェクタ付き電子カメラ１０は、投影モードに切替えられると、レリーズボタン１４を投射像のオートフォーカス調節を開始させたり、投影像を上記ソース５．のフォーカス調節用のチャート像へ切替えたり、投射像を回転させたり、投影動作を一時停止させたりするための操作部材として扱うように機能変更し、ズームスイッチ１６を投射像のズーム調節のための操作部材として扱うように機能変更した（ステップＳ４）。これにより、投影に関する新たな操作部材を追加しなくてもよい。
【００７３】
（３）上記（２）の機能変更は、プロジェクタ付き電子カメラ１０の筐体の上面に設けられている操作部材１４、１６に適用したので、たとえば、プロジェクタ付き電子カメラ１０を机上に載置して投影させている場合に、操作部材１４、１６をいずれの方向からも視認することができ、筐体の背面に設けられている操作部材に比べて操作し易い。さらに、筐体の上面に設けられている操作部材１４、１６は、操作に伴って筐体が動くおそれが少ないため、操作に伴って投影画像が移動してしまうおそれを低減できる。
【００７４】
（４）プロジェクタ付き電子カメラ１０は、投影モードにおいてソース切替え指示されるごとに、上記ソース１．〜ソース４．に対応する投影像をサイクリックに切替えるようにした（ステップＳ８）。これにより、プロジェクタ付き電子カメラ１０へ入力される画像のデータ形式、信号形式にかかわらず、再生画像をプロジェクタ部１２０に投影させることができる上に、投影コンテンツの選択を簡単な操作で行うことができる。
【００７５】
上述した説明では、プロジェクタ付き電子カメラ１０が投影モードに切替えられた場合、メモリカード２００に記録されている画像データを選択し、選択した画像データによる再生画像を自動的にスライドショー投影する（図４において最初にステップＳ５を行う場合にメモリカード２００から読出す）例を説明した。この代わりに、上記ソース３．に対応する内部メモリに記録されている画像データによる再生画像を投影するようにしてもよい。
【００７６】
また、プロジェクタ付き電子カメラ１０が投影モードに切替えられた場合、上記ソース２．もしくはソース４．に対応する画像を選択して投影してもよい。
【００７７】
上記説明では、プロジェクタ付き電子カメラ１０の筐体の上面に設けられる操作部材としてレリーズボタン１４、ズームスイッチ１６を例に説明したが、プロジェクタ付き電子カメラ１０が平面上に載置された状態で上面に位置する操作部材、もしくは三脚等で固定された状態で上面に位置する操作部材であれば、他の操作部材でもよい。
【００７８】
ズームスイッチ１６は、上述した回転操作型スイッチの代わりに、異なる２つの操作信号を択一的に出力するシーソー型スイッチで構成してもよい。また、「ズームアップ」スイッチと「ズームダウン」スイッチとを独立させた２つのスイッチで構成してもよい。
【００７９】
レリーズボタン１４の押下操作に連動する半押し、半押し長押し、全押し、および全押し長押しの４通りの操作態様と、ＡＦ開始指示、チャート投影オン／オフの切替え指示、投影像の回転指示、および投影動作の一時停止／解除の切替え指示の４通りの指示内容との関係は、上述した組み合わせ以外の他の組み合わせであってもよい。
【００８０】
（変形例１）
プロジェクタ付き電子カメラ１０が投影モードに切替えられた場合、ズームスイッチ１６を投射像のズーム調節のための操作部材として扱う代わりに、投影画像のコマ送り、コマ戻しのための操作部材として扱うように機能変更してもよい。
【００８１】
この場合のＣＰＵ１０１は、プロジェクタ部１２０が上記ソース１．またはソース３．に対応する画像を投影している状態でズームスイッチ１６から左回し操作信号が入力されると、投影中の画像より１コマ前の画像データをメモリカード２００（もしくは内部メモリ）から読出してプロジェクタ部１２０へ送出する。これにより、投影中の画像に代えて１コマ前の画像がプロジェクタ部１２０により投影される。この場合の左回し操作信号は、コマ戻し指示に対応する。
【００８２】
一方、ＣＰＵ１０１は、上記ソース１．またはソース３．に対応する画像が投影されている状態でズームスイッチ１６から右回し操作信号が入力されると、投影中の画像より１コマ後の画像データをメモリカード２００（もしくは内部メモリ）から読出してプロジェクタ部１２０へ送出する。これにより、投影中の画像に代えて１コマ後の画像がプロジェクタ部１２０により投影される。この場合の右回し操作信号は、コマ送り指示に対応する。
【００８３】
（変形例２）
プロジェクタ付き電子カメラ１０が投影モードに切替えられた場合、ズームスイッチ１６を、投射像のマニュアルフォーカス調節のための操作部材として扱うように機能変更してもよい。
【００８４】
この場合のＣＰＵ１０１は、ズームスイッチ１６から右回し操作信号が入力されると、ズームスイッチ１６の操作量に応じてフォーカスレンズを至近側へ移動させるように、フォーカス調節信号を投射制御回路１２４へ送る。一方、ＣＰＵ１０１は、ズームスイッチ１６から左回し操作信号が入力されると、ズームスイッチ１６の操作量に応じてフォーカスレンズを無限遠側へ移動させるように、フォーカス調節信号を投射制御回路１２４へ送る。
【００８５】
（変形例３）
プロジェクタ付き電子カメラ１０が投影モードに切替えられた場合、ズームスイッチ１６を、投射像のキーストン補正量調節のための操作部材として扱うように機能変更してもよい。
【００８６】
この場合のＣＰＵ１０１は、ズームスイッチ１６から右回し操作信号が入力されると、投射像を方形状に補正するための初期補正値に対し、ズームスイッチ１６の操作量に応じて１より大きいゲインを掛ける。一方、ＣＰＵ１０１は、ズームスイッチ１６から左回し操作信号が入力されると、上記初期補正値に対し、ズームスイッチ１６の操作量に応じて１より小さいゲインを掛ける。ＣＰＵ１０１は、ゲインを掛けた後の初期補正値をもとに投影する像のデータに対するキーストン補正処理をメモリ１０２上で施し、キーストン補正処理後の画像データを投射制御回路１２４へ送出する。
【００８７】
プロジェクタと電子カメラとがあらかじめ一体化されたプロジェクタ付き電子カメラ１０を例に説明したが、電子カメラに対して着脱自在に構成したプロジェクタと電子カメラとで電子カメラシステムを構成してもよい。この場合の電子カメラシステムは、電子カメラのアクセサリーシュー（不図示）にプロジェクタが装着されると投影モードに切替わり、図４と同様のプログラムを起動させる。なお、電子カメラ側のＣＰＵ１０１と、プロジェクタ側の投射制御回路とは、アクセサリーシューに併設される信号用端子（不図示）を介してデータを送受する。電子カメラの操作部材からの操作信号は、上記信号用端子を介してプロジェクタ側へ送信される。
【００８８】
以上の説明はあくまで一例であり、上記の実施形態の構成に何ら限定されるものではない。
【符号の説明】
【００８９】
１０…プロジェクタ付き電子カメラ
１１（２２１）…撮影レンズ
１３…プロジェクタ投射窓
１４…レリーズボタン
１５…モード切替ダイヤル
１６…ズームスイッチ
１７（１０４）…液晶表示器
１９（１０３）…操作部材
１０１…ＣＰＵ
１２０…プロジェクタ部
２００…メモリカード
２１０…無線通信ユニット
２２０…撮像部
【図１】
2010231236.tif 000003
【図２】
2010231236.tif 000004
【図３】
2010231236.tif 000005
【図４】
2010231236.tif 000006
【図５】
2010231236.tif 000007